Podtech/llm-jp-corpus-v4-ja_patent huggingface dataset:
(57)【要約】【課題】  熱帯低気圧、台風などの発生を抑え、維持、発達させない技術システム。【解決手段】  熱帯地域の低温海洋深層水を利用し、目標域の海面温度を低下させ、また水蒸気の蒸発量を抑える技術システムによる。【特許請求の範囲】
【請求項１】
熱帯における海面温度の高い海域で生まれる熱帯低気圧、そしてその定められた基準を超えた規模の台風、ハリケーンおよびサイクロンの発生を抑え、維持、発達させないため、低温海洋深層水を汲み揚げ海面部を低温水で広く覆い持続することを特徴とする技術システム。
【発明の詳細な説明】
【技術分野】
【０００１】  本発明は台風の暴風雨、高潮などによる被害を防止あるいは軽減させるべく、熱帯低気圧や台風などの発生を抑え、維持、発達させないため、熱帯の低温海洋深層水を汲み揚げ、対象海面部を広く覆い保ち海面温度を２〜３℃以上下げ、かつ水蒸気の発生も抑える技術システムである。
【背景技術】
【０００２】  台風、ハリケーン、サイクロンなどに関して海面をシートで覆うあるいは空中に薬品を散布することなどにより制御する方法が考えられたり試験されてはいるが、低温海洋深層水を利用する方法はなかった。
【発明の開示】
【発明が解決しようとする課題】
【０００３】  ひとたび台風などの来襲を受ければ人的また物損などの被害は甚大である。一面その風などによる海洋の攪拌効果、また恵みの雨として期待もある。【０００４】  本発明は熱帯低気圧、台風などの発生、維持、発達予測を気象、海洋気象、地球的環境アセスメントなどについて高度なコンピューターシュミレーションを実施しつつ、低温海洋深層水を利用し台風などの発生、発達の防止を目的とするものである。
【課題を解決するための手段】
【０００５】  熱帯低気圧、台風の発生域は、
（イ）熱帯の北緯五度以北、海水温２６〜２７℃以上の海域で大気の対流活動の活発域。
（ロ）熱帯収束帯という北東貿易風と南西季節風との風系が収束している地域。
（ハ）低緯度地方上空の偏東風帯気圧の谷域。
となっている。【０００６】  熱帯低気圧、台風の発生、維持および発達のエネルギー源は高温多湿な空気が上昇気流によって１０ｋｍ以上もの上空に昇り、その際水蒸気が凝結し雲をつくり多量の潜熱エネルギーを放出し続けることにある。【０００７】  以上のことから熱帯低気圧、台風の発生を抑え、維持、発達させないためには周囲海面温度よりマイナス２〜３℃以下にしつつ、水温低下による水蒸気の発生量減少とは別にさらに科学的手段による水蒸気低減化が有効である。【０００８】  そこで手段として熱帯およびその付近の低温海洋深層水を汲み揚げ、対象海面部を広く覆い保つ方法を中心としたシステムである。対象海域の水深は二百〜四千ｍくらいであり、一年をとおして水深三百〜四百ｍで１０℃以下の海水を無尽蔵に利用できる。この低温水を目標域海面部の直径数十〜二百ｋｍにわたり覆い保つシステムである。さらに海面部温度、蒸発量低下の効率化のため次の点を実施する必要がある。
（イ）  低温水のみかけ比重を海面水より小さくする。
（ロ）  低温水と自然海面が混じり合わない時間を長くする。
（ハ）  低温水新海面側には太陽熱反射、保温、断熱、蒸発制御が要求れる。
上記（イ）（ロ）（ハ）を解決する手段のひとつとして深層水、空気、炭酸ガスのナノ技術によるある比率の混合体が有効と考える。
また深層水汲み揚げ動力は理論的には海面水を汲むのと同値である。
国際的取組みのもと、一連の研究開発により気象、海洋気象、環境などの基礎コンピューターシュミレーション、深層水汲み上げなど作業船または装置、気象衛星、航空機、地上海上レーダー、ソナーなどの適正数算定シュミレーション、そして実施コンピューターシステムに至る超大なプロジェクトとなる。
【発明の効果】
【０００９】  本発明により全ての台風、ハリケーン、サイクロンがなくなるとは考えないが、選別して発生を抑える、あるいは大型化、巨大化させない技術システムとして未来の地球に貢献できるものと信じる。
また熱帯以外の低気圧にも応用可能と考える。
(57)【要約】【課題】釣糸に容易に着脱できる釣り用水中浮きを提供する。【解決手段】水中浮きを螺旋状の形状にして生じたすきまに釣糸を挿入して螺旋状すきま方向に回転させれば、水中浮きは釣糸に装着されることとなる事を特徴とする。【選択図】図２
2009100731.tif 000002
【特許請求の範囲】
【請求項１】
釣り用水中ウキの形状を螺旋状にし、糸通し穴の出入り口に凹状のくぼみを設けた着脱を容易にする事を特徴とした釣り用水中浮き。
【発明の詳細な説明】
【技術分野】
【０００１】この発明は釣り用水中浮きの形状を螺旋状にし、浮き中央部の糸通し穴の出入り口に凹状のくぼみを設けた釣り用水中浮きに関するものである。
【背景技術】
【０００２】従来の釣り用水中浮きは浮きの中央部に穴を開けてあり、その穴から釣り糸を通して使用していた。
【発明の開示】
【発明が解決しようとする課題】
【０００３】しかしながら、以上の技術によれば、水中浮きを取り付けた仕掛け全体の沈み具合の調整をする必要が生じた場合、比重の異なった水中浮きと取替えるためには釣糸を切断しなければならないことから釣糸を切断せずに水中浮きを取り替える為なされたものである。
【課題を解決するための手段】
【０００４】以上の課題を解決するために、水中浮きを螺旋状の形状（１）にして生じた隙間（２）に釣糸を挿入して螺旋状隙間方向に回転させれば、釣糸が水中浮きの中央部の糸通し穴（３）に装着されることとなる。
水中浮きの中央部の糸通し穴（３）の出入口に凹状のくぼみ（４）を設ける事で自然的に釣糸から水中浮きがはずれることのない事を特徴とする釣り用水中浮きである。
【発明の効果】
【０００５】水中ウキを螺旋状にすることにより、釣糸を切断せず水中浮きの取替えを可能とし、水中浮きを取付けた仕掛け全体の沈み具合の調整を容易にする。
【発明を実施するための最良の形態】
【０００６】以下、本発明の実施の形態について説明する。
水より比重が少し大きい水中浮きの形状を螺旋状（１）にする。
浮き中央部の糸通し穴（３）の出入口に凹状のくぼみ（４）をつける。
本発明は、以上のような構成で、これを使用するときは、螺旋状にしたことから生じた隙間（２）に釣糸を挿入して螺旋状隙間方向に回転させることにより浮き中央部の糸通し穴（３）に容易に着脱できる。
装着後も水中浮きの中央部の糸通し穴（３）の出入り口に凹状のくぼみ（４）を設ける事で自然的に釣糸から水中浮きがはずれることはない。
【図面の簡単な説明】
【０００７】
【図１】本発明の側面図である。
【図２】本発明の断面図である。
【図３】本発明の平面図である。
【符号の説明】
【０００８】１  螺旋状の形状をした水中浮き            ２  隙間
３  浮き中央部の糸通し穴                  ４  凹状のくぼみ
【図１】
2009100731.tif 000003
【図２】
2009100731.tif 000004
【図３】
2009100731.tif 000005
(57)【要約】【課題】  従来の魚の丸干しは、骨や内臓が含まれたまま干していた為、骨が口にさわり、内臓を食べない人も多く非常に食べにくかった。又、内臓が腐りやすいので、商品劣化が早く干し時間を長くしなければない為、コストがかかった。魚の頭１、内臓３、中骨６を食さない人が多く食した後のゴミが多く出る為、環境への負担も多かった。【解決手段】    魚の頭１、腹骨２、内臓３、中骨６を取り除き、魚の腹部分を合わせ、魚本来の状態で干すことで、魚の腹部分の筋肉に含まれるたんぱく質（ミオシン）により結着され、焼いても結着された部分が離れることなく、やわらかく食べやすくなる。又、構造的に食後のゴミが軽減される。また、魚の頭１、腹骨２、内臓３、中骨６は一括処理するので肥料、餌料に転用できエネルギー効率が良くなり環境への負担が少なく出来る。魚の頭１、腹骨２、内臓３、中骨６、を取り除き腹部分を合わせ結着させた、魚の丸干しを提供する。【選択図】      図４
2009100724.tif 000002
【特許請求の範囲】
【請求項１】
魚の頭、腹骨の一部、内臓、中骨を取り除いて後、魚の腹部分を合わせ、その後干した魚の骨取り丸干しの製造方法。
【発明の詳細な説明】
【技術分野】
【０００１】
本発明は、魚の頭１、腹骨２、内臓３、中骨６を取り除き干す事でそのまま食すことができ、また干す作業の際に魚の腹２の部分を合わせ干す事で身が柔らかくなる丸干しの製造方法である。
【背景技術】
【０００２】
従来の魚の丸干しは、骨や内臓が含まれたまま塩をして干していた。
【発明の開示】
【発明が解決しようとする課題】
【０００３】
これは次のような欠点があった。
（イ）骨や内臓が含まれたまま干していた為、骨が口にさわり、内臓の食べられない人も多く非常に食べにくかった。
（ロ）内臓が腐りやすいので、商品劣化が早く干し時間を長くしなければない為、コストがかかった。
（ハ）食した後のゴミが多く、環境への負担も多かった。
本発明は、以上のような欠点をなくすためになされたものある。
【課題を解決するための手段】
【０００４】
魚の頭１と魚の腹骨２と魚の内臓３と魚の中骨６を、取り除き塩をし、その後魚の腹部分を合わせ干す。
本発明は、以上の構成よりになる魚の骨取り丸干である。
【発明の効果】
【０００５】
（イ）魚の頭１、腹骨２、内臓３、中骨６が取り除かれているので骨や内蔵を気にせずに食すことができる。
（ロ）魚の頭１、腹骨２、内臓３、中骨６を取り除き、塩をした後、魚の腹部分を合わせ干すことで、干し作業の際に魚の腹部分が魚の筋肉に含まれるたんぱく質（ミオシン）により結着され、焼いても結着された部分が離れることなく、やわらかく食べ易くできる。
（ハ）食後のゴミが軽減される。また、魚の頭１、腹骨２、内臓３、中骨６は一括処理するので肥料、餌料に転用できエネルギー効率が良くなり環境への負担が少なく出来る。
【発明を実施するための最良の形態】
【０００６】
以下、本発明を実施するための最良の形態について説明する。
魚の頭１を切る、魚の腹骨２を魚の排泄口部分から胸鰭部分まで切る、魚の内臓３を取り除く、魚の腹部分から開き、魚の尾の手前から魚の中骨６を取り除き、塩をした後魚の腹部分５を合わせ魚本来の状態にし干す。
本発明は、以上のような構造である。
【図面の簡単な説明】
【０００７】
【図１】本発明の魚の頭、腹骨の切り方の図である。
【図２】本発明の魚の頭、腹骨、内臓を取り除いた図である。
【図３】本発明の魚の中骨の切り方の図である。
【図４】本発明の魚の形態の図である。
【符号の説明】
【０００８】
１  魚の頭
２  魚の腹（腹骨）
３  魚の内臓
４  魚の頭の切り取り線
５  魚の腹（腹骨）の切り取り線
６  魚の中骨
７  魚の中骨の切り取り線
【図１】
2009100724.tif 000003
【図２】
2009100724.tif 000004
【図３】
2009100724.tif 000005
【図４】
2009100724.tif 000006
(57)【要約】【課題】従来より釣りをする際に、場所の条件や水を汲む時等は、大変苦労を要して居た為である。【解決手段】場所を選ぶ事無く、釣り竿掛けのできる半自動水汲みバケツで有り、特に船や岸壁では一発で水を汲む楽しさが、釣り成果を上げる目的につながるものである。【選択図】図３
2009100727.tif 000002
【特許請求の範囲】
【請求項１】
バケツの両側の取手を取り外し、ロープを通す挿入穴を設けて、中心部にバランスの結び目の輪を作り、両端部のロープを挿入、結び目で固定し、バケツの水切り側の内側に３０号前後のオモリを止め具で取り付け、後方部に釣り竿掛けの挿入穴を設けたもので、天秤の作用により、バケツを水面に下ろすと、自重で水をゴックンと飲み込む為に、後は固定した任意の長さのロープを引き上げるだけで、水がオモシの変わりになる為、後は釣り竿掛けの挿入穴に竿を固定使用する特長を持った釣り竿掛けのできる半自動水汲みバケツ。
【請求項２】
バケツの両側の取っ手を取り外し、ロープを通す挿入穴を設けて、中心部にバランスの結び目の輪を作り両端部のロープを挿入、結び目で固定し、バケツの水切り側の内側に３０号前後のオモリを止め具で取り付けて、天秤の作用により、バケツを水面に下ろすと、自重で水をゴックンと飲み込む為に、後は固定した任意の長さのロープを引き上げるだけで良い特長を持った水汲み一発の半自動水汲みバケツ。
【発明の詳細な説明】
【技術分野】
【０００１】本発明は、釣りに於ける釣竿掛けのできる半自動水汲みバケツに関する。
【背景技術】
【０００２】従来は、釣りをする際に釣竿掛けを用いる場合がある。砂浜の場合においは釣竿掛けを若干砂に刺し込んで固定して用いるが、岩場やコンクリート堤防等では置いて重石を載せる等の工夫をしていた、又コンクリート釘を釣竿掛けに一体と成した物は既に発案なされている。又、船や岸壁等で水を汲む時は、尚一層大変であった。
【特許文献１】  実用公開  昭５３−１０７５９１号  広報
【特許文献２】  特開  平６−３０２８８５号  広報
【０００３】    尚［特許文献］    Ｈ１６  ２／２３    ＡＯＩＫ  ９５／００
実用公開８１９件、特開２８７件  調査済
【発明の開示】
【発明が解決しようとする課題】
【０００４】以上に述べた従来の竿掛けは場所に左右され大変困難をきたしていた、又、水を汲む時も数回投入して汲んでいた。【０００５】本発明は、このような従来の構成が有していた問題を解決しようとするものであり場所を選ぶ事無く、釣り成果を上げる目的とする釣竿掛けのできる半自動水汲みバケツである。
【課題を解決するための手段】
【０００６】そして、本発明は、上記目的を達成する為にバケツの両側の取っ手を取り外し、ロープを通す挿入穴を設けて、中心部にバランスの結び目の輪を作り、両端部のロープを挿入、結び目で固定し、バケツの水切り側の内側に、３０号前後のオモリを止め具で取り付け、後方部に竿掛けの挿入穴を設けたもので、天秤の作用により、バケツを水面に下ろすと、自重で水をゴツンと飲み込む為に、後は任意の長さのロープを引き上げるだけで良いものである。
【発明の効果】
【０００７】上述したように本発明の釣り竿掛けは一発で水を汲む事が出来、水がオモシ変わりとなり竿掛けの挿入穴に釣り竿を挿入固定する為、釣りの釣果を倍加させるものである。
【発明の実施するための最良の形態】
【０００８】以下、本発明の実施形態を図１〜図３に基づいて説明する。
【０００９】図においては、本体１にロープの挿入穴４と釣り竿の挿入穴５を設けて、水切り側７の所にオモリ２を止め具８で固定し、ロープの挿入穴４に中心部にバランスの結び目の輪９を作り、両端部のロープ３を挿入、結び目で固定すると共に中心部の輪９に任意の長さのロープ１０を挿入固定する。
【００１０】本発明の本体１で水を汲み上げて釣り竿の挿入穴５に釣り竿６を挿入固定する。以上のように本実施形態により楽しい釣果が倍加されるものである。
【図面の簡単な説明】
【００１１】
【図１】本発明の本体左側面図
【図２】本発明の背面図
【図３】本発明の実施形態を示す左側面図
【符号の説明】
【００１２】    １．  本体
２．  オモリ
３．  ロープ
４．  ロープの挿入穴
５．  釣り竿の挿入穴
６．  釣り竿
７．  水切り側
８．  止め具
９．  バランスの結びの輪
１０．  任意の長さのロープ
【図１】
2009100727.tif 000003
【図２】
2009100727.tif 000004
【図３】
2009100727.tif 000005
(57)【要約】【課題】    本発明は、生ゴミを荒らす根源であるカラスを捕獲箱にて捕獲し、カラスによる被害を減少させようとする目的である。【解決手段】捕獲箱１の開口部に胴縁軸３と合成繊維の穂２の組合わせによるカラス落とし穴蓋を開口部側面の縁に固定する。            捕獲箱１の内部側面に戻り返し板４をバネ蝶番５を使い取り付ける            以上のような構造のカラス捕獲箱である。【選択図】図１
2009100730.tif 000002
【特許請求の範囲】
【請求項１】
（イ）捕獲箱１の開口部にカラスの落とし穴蓋２を設ける。
（ロ）捕獲箱１の内部側面中段に戻り返し板４をバネ蝶番５を使い取り付ける。
【発明の詳細な説明】
【発明の詳細な説明】
【技術分野】
【０００１】      この発明は、捕獲箱の開口部に胴縁軸と合成繊維の穂を組み合わせた捕獲蓋を開口部側面の縁に固定する。
捕獲箱の内部側面中段に戻り返し板をバネ蝶番を使い取り付ける。
【背景技術】
【０００２】      従来、カラスによる生ゴミ荒らしの対策方法は生ゴミに網目のネットを覆い、防いできたがあまり効果が上がらなかった。
【発明が解決しようとする課題】
【０００３】      したがって、生ゴミを荒らす根源であるカラスを捕獲箱にて捕獲する事でカラスによる、生ゴミ荒らしの被害を減らす目的である。
【課題を解決するための手段】
【０００４】      いま、その構成を説明すると
（イ）捕獲箱１の開口部は合成繊維の穂２と胴縁３の組合わせによるカラス落とし穴蓋を開口部側面の縁に固定する。
（ロ）捕獲箱１の内部側面に戻り返し板４をバネ蝶番５を使い取り付ける。
以上のようなカラス捕獲箱である。
【発明を実施するための最良の形態】
【０００５】    本発明の実施の形態を図面に追いながら説明すれば、捕獲箱１の開口部に合成繊維の穂２と胴縁軸３の組合わせた落とし穴蓋の上にカラスの餌となるパン等を置きカラスを落とし穴蓋の上に誘う。
落とし穴蓋の上に舞い降りたカラスは自身の体重にて、落とし穴蓋の表面を覆っている合成繊維２を突き抜けて、戻り返し板４を伝って箱底に滑り落ちる。
箱底のカラスは、戻り返し板４により外部に飛び出すことは出来ない。【０００６】    なお、本発明の実施にあたっては野バトの捕獲も行える。
【発明の効果】
【０００７】    したがって、カラスや野バトを傷付けることなく捕獲できる。
【図面の簡単な説明】
【図１】    本発明の正面断面図
【図２】    本発明の平面図
【図３】    本発明の斜視図
【符号の説明】
１は捕獲箱本体
２は合成繊維の穂
３は胴縁軸
４は戻り返し板
５はバネ蝶番
【図１】
2009100730.tif 000003
【図２】
2009100730.tif 000004
【図３】
2009100730.tif 000005
(57)【要約】【課題】従来のイチゴ栽培は高温期には著しく収量が落ち込み輸入に頼らざるを得なかった。【解決手段】イチゴの栽培環境を温室内部にヒートポンプ式冷凍機と冷気ダクト及び温室周囲の壁面を遮熱材で囲み冷気プールを創出することで高温期の栽培を可能とした。【選択図】図１
2009100729.tif 000002
【特許請求の範囲】
【請求項１】
温室の外装壁周囲４面を地下部及び地上部を一定の高さの遮熱材で囲み、冷気をプール出来る夏取りイチゴの温室空調栽培装置。
【請求項２】
ヒートポンプ冷凍機で創出された冷気を請求項１に記載された冷気プールに静かに貯留させる夏取りイチゴの温室空調栽培装置
【請求項３】
温室上部の高温空気を天窓から屋外には排風を行う夏取りイチゴの温室空調栽培装置
【請求項４】
温室上部の高温空気の排出は、温室壁面に設置された陽圧フアンの運転にり外気を導入し陽圧を確保する。陽圧フアンの外気導入時はフイルターを通して導入される夏取りイチゴの温室空調栽培装置。
【発明の詳細な説明】
【技術分野】
【０００１】  本発明は、イチゴを外気温度の高温期に栽培可能に関する。【０００２】  従来のイチゴ栽培は外気温度が高温期になると国内では一部北海道や高地での冷涼な地域を除き収量が極端に少なくなり主にアメリカ産の輸入に頼っている。【０００３】  関係行政機関を含むイチゴ栽培関係者により高温期に収量が多く、品質のよい品種の開発や対策が進められているが決定的な方策はいまだ途上にある。
【発明の開示】
【発明が解決しようとする課題】
【０００４】  本発明は、収量の減少は温室内の高温環境に原因ありとし、この温室の高温環境を冷気のプールを創出することでイチゴ栽培環境を改善することで問題の解決を図るものである。
【発明の効果】
【０００５】  イチゴの収量は冷気プールの内部の冷涼な環境に置くことで北海道や高冷地の環境と同等の収量を望むことが出来る。
【発明の実施するための最良の形態】
【０００６】  以下、本発明の実施の形態を図１に基づいて説明する。
【０００７】  図において、温室の壁面の周囲を遮熱材で囲い冷気のプールとする。遮熱材は地下部にも埋設する
【０００８】  ヒートポンプ式冷凍機で冷気を創出し冷気ダクトで冷気を静かに冷気プールに貯留する。
【０００９】  温室上部の高温空気は陽圧フアンによる外気の導入により天窓からは排風される。外気の導入時にはフイルターを通して行われる。
【図面の簡単な説明】
【００１０】
【図１】本発明の温室の断面図  温室内部に於いて高温の空気は上部へ．冷い冷気は下部冷気プールに貯留される．
【図１】
2009100729.tif 000003
(57)【要約】      （修正有）【課題】使用者は勿論、設備の維持者（主婦等）にも清潔、快適な併用便器を提供する。【解決手段】基礎便器１上の基台Ｉ３に既販便器４と凹面上の飛散防止枠５が背向、前傾し便室扉と並行して待機する。扉の選択ノブで右側は小便器用、左側は大便器用として作動させ、駆動系で基台Ｉ３上の既販便器４又は飛散防止枠５を９０度回転と、前傾状態から下降し、駆動系が連動して後退し、選択した便器が便室扉面と正対後に基礎便器１の縁枠内に定置又は挿入して停止する。小用時は踏板８上に載ると飛散防止枠４から洗浄水が流下し離れると停止する機構で、１１は誤作用時の切替弁である。退室後は逆の作動で待機状態に戻る。【選択図】図１
2009215867.tif 000002
【特許請求の範囲】
【請求項１】
基礎便器１上のＵ状基台Ｕ２に載架したＩ状基台Ｉ３に既販便座４と凹型の飛散防止板５が背立し、互いに前傾状態で保持される事を特徴とする併用便器の機構。
【請求項２】
既販便座４又は飛散防止板５を正面側え９０度の回転、前傾状態からの下降及び後退作動が連動し、基礎便器１の縁枠内上に定置又は挿入後に停止する為の、駆動系Ｒ６およびＳ７を有する事を特徴とする併用便器の機構。
【請求項３】
選択ノブ１０の操作（左、右）により既販便座４又は飛散防止板５の作動を制御する事を特徴とする併用便器の機構。
【請求項４】
請求項１，２，３に記載した機能を特徴とする併用便器の機構。
【発明の詳細な説明】
【技術分野】  本発明は便器の清潔保持と住環境との調和で快適、簡便さを保全する。
【背景技術】  清潔、快適便座等の供給。      （株）東陶、ＩＮＡＸ。
【発明の開示】
【発明が解決しようとする課題】  排泄設備は原則として性別毎に設ける事が望ましいが、個人住宅では共用式が普及しており使用方法等で清潔維持面で問題がある。
【課題を解決する為の手段】
要因は使用者の意識にあるが、既設便座の形状にも起因すると考え共用式の普及理由と使用実態を解明し、併用方式の採用で清潔で快適な設備の提供を計った。
【発明を実施する為の最良の形態】
本発明の実施例に就いて説明する。
図１において、１は基礎便器、２の基台Ｕと３の基台Ｉで既販の便座４と洗浄用飛散防止板５及び回傾駆動系Ｒ６と摺動駆動系Ｓ７を備える。８は踏板、９は便室扉で１０は選択ノブ、１１は切替弁である。  図２は、駆動系Ｒ６，Ｓ７の作動例を示した。
これを使用例について述べる。併用便器はＵ型の基台Ｕ２上に載架したＩ型の基台Ｉ３に、既販便座４と凹状の防止板５が左右に背向、互いに前傾して基礎便器１の縁枠内上に設置され待機している。これは現状の便室幅対応と、便器選択時の移動時間の短縮等で併用を計る為である。便室扉９の選択ノブ１０は原則として大便器用は左、小便器用は右に振分けて開扉する方式で、男性の場合はノブを左側に回すと、駆動系Ｒ６で防止板５が正面側に９０度回動と傾動下降する。同時に駆動系Ｓ７も連動して後退し、防止板５の下端が基礎便器１の縁枠内に挿入して停止する。入室後は踏板８上に載ると防止板５の上部から洗浄水が流下し、離れると停止し退室後は逆作動で待機状態に戻る。１１の切替弁は選択ノブ１０の誤操作による訂正用である。女性の場合は上述した機能の逆作動となる。
図２は駆動系６と７の作動方式を簡単に例示したものである。
【発明の効果】
一般家庭で共用方式による便器の清潔と快適さを阻害する要員は男性側にあると考えられる為に、飛散防止枠４と洗浄方式を採用し既販便座と共に便器の選択方式で利用者と維持者（主婦等）が共に清潔で快適な併用便器を開発した。
【図面の簡単な説明】
【図１】  正面図、
【図２】  駆動系略図
【符号の説明】
１基礎便器、  ２基台Ｕ、  ３基台Ｉ、  ４便座、  ５防止板、  ６駆動系Ｒ、  ７駆動系Ｓ、  ８踏板、  ９便室扉、  １０選択ノブ、  １１切替弁、
【図１】
2009215867.tif 000003
【図２】
2009215867.tif 000004
(57)【要約】【課題】  斜面を形成している折板屋根の上に、水平に設置できる架台であって、人力で運搬可能な軽量の部品からなり、組み立て作業が容易な架台を提供し、折板屋根に屋上緑化システムを提供すること。【解決手段】  工場で製作する部材を軽量化することと、各部材の設計最適化により、軽量で、かつ必要な強度を確保した架台を提供する。【選択図】なし【特許請求の範囲】
【請求項１】
折板屋根の上に水平に設置されてなる架台と、前記架台の上に設置されてなる培地を有することを特徴とする屋上緑化システム。
【請求項２】
前記架台の重量は、１ｍ２あたり８Ｋｇ以下であることを特徴とする、請求項１に記載の屋上緑化システム。
【請求項３】
前記架台と前記培地の合計重量は、１ｍ２あたり２３Ｋｇ以下であることを特徴とする、請求項１または請求項２に記載の屋上緑化システム。
【発明の詳細な説明】
【技術分野】
【０００１】  本発明は、屋上緑化システムに関わり、特に長尺の金属板に折り曲げ加工を施した部材を組み合わせた折板屋根の上に培地を水平に並べた構造の屋上緑化システムに関わるものである。
【背景技術】
【０００２】  近年の地球温暖化現象や、都市部のヒートアイランド現象への対処法として、建築物の壁面や屋上に植栽を育成した緑化システムが構築されている。そのうちの屋上緑化システムの多くは、ビルディングの屋上の水平面に設置されるが、通常の斜面により構成される屋根の上にも屋上緑化システムも増加しつつある。【０００３】  このような屋上緑化システムは、非特許文献１に開示されているように、折板屋根の傾斜面に当該折板屋根の傾斜角度と同じ傾きで設置されるのが殆どである。しかしながら、このような屋上緑化システムでは、水平面に設置された植栽とは、日照条件において大きな差が生じる。【０００３】  南北方向に傾斜した屋根に設置された屋上緑化システムにおいては、その傾斜が１０％の場合、京都−静岡近傍を通過する北緯３５°のラインでは、太陽光の入射角度が、夏至の際に、南面が８８．５°、北面が６８．５°であり、冬至の際に、南面が４１．５°、北面が２１．５°となる。【０００４】  また、傾斜が２３．５°の屋根においては、南面の太陽光の入射角度は夏至で９０°北面の太陽光の入射角度は冬至で４°となり、赤道直下と極地における白夜とほぼ同じ条件となる。一般に太陽光の入射角度が大きい程紫外線が強く、小さい程弱くなるので、紫外線によって生長する植物にとっては、特に温帯地域在来の植物にとっては、このような条件は両極端であり、生育そのものが不可能となるのが現実である。【０００５】  従って、日本国内の斜面を形成する折板屋根を有する建築物に屋上緑化システムを構築するには、植栽の培地を水平に設置するための課題が必要であるが、従来の構造では、重量の面で折板屋根が耐えられるものが皆無に近いのが現状である。また、特に駅舎などの公共の建築物に施工する際は、作業時間が短時間に限定されるのと、重量物を屋根の上に揚げる装置を持ち込むのが極めて困難である。【０００６】
【非特許文献１】  ブルー・ジー・プロ株式会社ホームページ  ｈｔｔｐ：／／ｗｗｗ．ｂｇｐｒｏ．ｊｐ／ｓ＿ｓｅｋｏ．ｈｔｍｌ
【発明の開示】
【発明が解決しようとする課題】
【０００７】  従って、本発明の課題は、斜面を形成している折板屋根の上に、水平に設置できる架台であって、人力で運搬可能な軽量の部品からなり、組み立て作業が容易な架台を提供し、折板屋根に屋上緑化システムを提供することである。
【課題を解決するための手段】
【０００８】  本発明は、前記の課題解決のため、前記架台やそれを構成する部品の構造を検討した結果なされたものである。【０００９】  即ち、本発明は、折板屋根の上に水平に設置されてなる架台と、前記架台の上に設置されてなる培地を有することを特徴とする屋上緑化システムである。【００１０】  また、本発明は、前記架台の重量が、１ｍ２あたり８Ｋｇ以下であることを特徴とする前記の屋上緑化システムである。【００１１】  また、本発明は、前記架台と前記培地の合計重量が、１ｍ２あたり２３Ｋｇ以下であることを特徴とする前記の屋上緑化システムである。
【発明の効果】
【００１２】  本発明によれば、斜面を形成する折板屋根の上に、植栽の培地を水平に設置した屋上緑化システムを提供することが可能となる。これによって設置された地域の在来の植物を支障なく育成することが可能となる。【００１３】  また、本出願人が既に出願している特開２００６−２７１２０７号公報に開示されている間歇型補水器を灌水に用いることにより、効率的に植栽を管理できる屋上緑化システムを構築することも可能である。
【発明を実施するための最良の形態】  次に、本発明の実施の形態について説明する。本発明の架台の設計の要点を以下に説明する。【００１４】（１）工場で製作する部材を、人力で運搬可能な大きさと重量とする。
（２）従来の設計では、Ｌ型□□の厚さは４ｍｍで５０ｍｍ×５０ｍｍの大きさであったが、厚さ０．６の厚さの材料に０．６ｍｍの折り曲げ加工を施して強度を確保した。
（３）梁になる部材に０．６ｍｍの折り曲げ加工を施して強度を確保した。
（４）柱になる部分の接続は、連続布基礎作りとして架台に負荷される力を分散させる。
（５）ハゼ部分と布基礎部の取り付け部は１回の操作で挟むことができる構造とする。
（６）桁部分は常に水平の状態を維持できるように、ネジ穴を長方形として水平の調製が可能な構造とする。
（７）タイトフレームを細くする。
（８）歩行の便宜のため上面がフラットな構造とし、ゴミが滞らないように、下面は雨樋のようにＬ型の部分をなくし、Ｖ型とする。
（９）ＥＧプランタの接続部からダイレクトに４本のタッピングビスで固結して作業が終了できるようにする。【００１５】  以上のような構造で架台を設計することにより、折板屋根の上に簡略に構築可能な屋上緑化システムを提供することができ、地球温暖化や都市部のヒートアイランド現象の抑制に寄与することできる。
(57)【要約】【課題】不慣れなものでも皺がよらず綺麗に防虫網をサッシに張付けることができるサッシへの防虫網張付け構造を提供する。【解決手段】サッシ１１に張付けられる防虫網１２であって、サッシ１１の大きさに合わせて裁断した防虫網１２の各辺にテープ状補強材１３を一体に張付けてなり、好ましくは上記サッシ１１に張付けられる防虫網１２の各角をテープ状補強材１３の幅に合わせて切込み１４を形成してなる構成を採用し、また、内周りに凹溝１５を形成したサッシ１１と、前記凹溝１５に嵌まり合う入れ子枠１６と、上記サッシ１１に張付けられる防虫網１２からなり、上記サッシに張付けられる防虫網１２のテープ状補強部１３を折り曲げて上記凹溝１５に差込み、その状態で入れ子枠１６を上記凹溝１５に嵌め込んでなる構成とし、好ましくは、上記サッシ１１の凹溝１５と入れ子枠１６との間に嵌め殺し構造１７を採用した構成とした。【選択図】図１
2009215860.tif 000002
【特許請求の範囲】
【請求項１】
サッシ（１１）に張付けられる防虫網（１２）であって、サッシ（１１）の大きさに合わせて裁断した防虫網（１２）の各辺にテープ状補強材（１３）を一体に張付けてなることを特徴とするサッシ張付け用防虫網。
【請求項２】
上記サッシ（１１）に張付けられる防虫網（１２）の各角をテープ状補強材（１３）の幅に合わせて切込み（１４）を形成したことを特徴とする請求項１に記載のサッシ張付け用防虫網。
【請求項３】
内周りに凹溝（１５）を形成したサッシ（１１）と、前記凹溝（１５）に嵌まり合う入れ子枠（１６）と、上記サッシ（１１）に張付けられる防虫網（１２）からなり、上記サッシに張付けられる防虫網（１２）のテープ状補強部（１３）を折り曲げて上記凹溝（１５）に差込み、その状態で入れ子枠（１６）を上記凹溝（１５）に嵌め込んでなることを特徴とするサッシへの防虫網張付け構造。
【請求項４】
上記サッシ（１１）の凹溝（１５）と入れ子枠（１６）との間に嵌め殺し構造（１７）を採用したことを特徴とする請求項３に記載のサッシへの防虫網張付け構造。
【発明の詳細な説明】
【技術分野】
【０００１】  この発明は防虫網のサッシへの張付け作業を容易にしたサッシへの防虫網取付け構造に関する。
【背景技術】
【０００２】  サッシに防虫網を張付けた所謂網戸の構造は、図２に示すようにサッシ１１の内周りに凹溝１９が形成され、このサッシ１１の表面に防虫網１２を広げ、上記凹溝１９に表面滑り止めを施した弾性プラスチック（ゴム）紐１８を防虫網１２とともに押し込んでなるものであった。【０００３】  上記従来技術に係る防虫網の張付け作業は相当の熟練を必要とし、不慣れなものが張付けた場合防虫網に皺がより、ひどいときはサッシが変形してしまうこともある。
【発明の開示】
【発明が解決しようとする課題】
【０００４】  そこで本発明は、不慣れなものでも皺がよらず綺麗に防虫網をサッシに張付けることができるサッシへの防虫網張付け構造を提供することを課題とする。
【課題を解決するための手段】
【０００５】  上記課題を解決するためにこの発明は、サッシ１１に張付けられる防虫網１２であって、サッシ１１の大きさに合わせて裁断した防虫網１２の各辺にテープ状補強材１３を一体に張付けてなり、好ましくは上記サッシ１１に張付けられる防虫網１２の各角をテープ状補強材１３の幅に合わせて切込み１４を形成してなる構成を採用し、また、内周りに凹溝１５を形成したサッシ１１と、前記凹溝１５に嵌まり合う入れ子枠１６と、上記サッシ１１に張付けられる防虫網１２からなり、上記サッシに張付けられる防虫網１２のテープ状補強部１３を折り曲げて上記凹溝１５に差込み、その状態で入れ子枠１６を上記凹溝１５に嵌め込んでなる構成とし、好ましくは、上記サッシ１１の凹溝１５と入れ子枠１６との間に嵌め殺し構造１７を採用した構成としたものである。
【発明の効果】
【０００６】  上記のごとく構成するこの発明によれば、防虫網をサッシの寸法に合わせてカットし、各辺にテープ状補強材張付けてユーザーに提供するので工事現場での作業が軽減されコストダウンを図ることができ、防虫網の張付け作業も単純化して、皺がよらず均等に綺麗に張付けることができるようになる。
【発明を実施するための最良の形態】
【０００７】  次にこの発明の実施の形態を、図面を参照しながら説明する。サッシ１１の内回りには内面に嵌め殺し構造１７を構成する突起を設けた凹溝１５が形成され、この凹溝１５には上記嵌め殺し１７の突起に対応する突起を設けた入れ子枠１６が用意されている。【０００８】  一方サッシ１１の寸法（凹溝１５の内側寸法に、テープ状補強材の幅を加えた寸法）に合わせて防虫網１２が裁断され、その防虫網の各辺にテープ状補強材（ここで使用するのは厚さ０．５ｍｍ、幅８ｍｍのポリプロピレンテープ）をシールマシーンで融着し各角部にテープ状補強材の幅に合わせて切込みを入れ（図１（ａ）参照）、四辺を折り曲げ（図１（ｂ）参照）、この状態の防虫網をサッシの凹溝１５に挿入し（図１（ｃ）参照）、次に入れ子枠１６を凹溝１５に押し込むことによりサッシと入れ子枠とは嵌め殺し状態になって（図１（ｄ）参照）防虫網の張付けは完了（図１（ｅ）参照）する。【０００９】  ここでテープ状補強材としてポリプロピレンテープを採用したが、ポリアミド、ポリエステルあるいは同質で高密度のものなどを採用することができる。また、上記硬質樹脂テープに代えて金属テープを採用することができ、金属テープを採用したときは遮光スクリーン１７の素材と金属テープ双方に接着効果のある接着手段を採用する。
【産業上の利用可能性】
【００１０】  以上説明したようにこの発明によれば第一に防虫網がサッシに合わせてプレカットされ、各辺にテープ状補強材が融着されているので現場作業が大幅に削減される。第二に張付け作業において熟練を必要とせず誰でも熟練者以上に均等に綺麗に防虫網を張付けることができる。
【図面の簡単な説明】
【００１１】
【図１】  本発明に係る防虫網張付け構造の説明図で（ａ）：テープ状補強材を貼り付け切込みを入れた状態の防虫網、（ｂ）：四辺を折り曲げた状態の防虫網、（ｃ）：防虫網の折り曲げた部分をサッシの凹溝には嵌め入れた状態、（ｄ）：入れ子枠をはめ込む状態、（ｅ）：防虫網の張付け完了状態
【図２】  従来の防虫網張付け構造説明図
【符号の説明】
【００１２】１１  サッシ
１２  防虫網
１３  テープ状補強材
１４  切込み
１５  凹溝
１６  入れ子枠
１７  嵌め殺し構造
１８  弾性プラスチック紐
１９  凹溝
【図１】
2009215860.tif 000003
【図２】
2009215860.tif 000004
(57)【要約】【課題】ＬＥＤ照明は周囲の温度変化により照度が変化していた。【解決の手段】ＬＥＤ上部にフォトダイオードを設置する。【選択図】図１
2009021202.tif 000002
【特許請求の範囲】
【請求項１】
ＬＥＤ照明にフォトダイオードを取り付け、フォトダイオードからの出力電流をマイコンで監視することにより、ＬＥＤ特有の周囲温度変化による照度の変化を監視して常に照度を一定にすることを特徴とするＬＥＤ照明。
【発明の詳細な説明】
【技術分野】
【０００１】この発明は、ラインＬＥＤ照明の駆動回路に関する。
【技術背景】
【０００２】従来のＬＥＤ照明用駆動回路の場合は、周囲の温度変化によりＬＥＤの照度が変化して一定の照度を保つことができない。
【発明の開示】
【発明が解決しようとする課題】
【０００３】しかしながら、以上の技術によれば一定の照度を保つことができず、周囲温度により照度が変化するので不利であった。そこで、今回の発明は、周囲の温度変化に左右されずにＬＥＤの照度を一定に保つことを提供することを課題とする。
【課題を解決するための手段】
【０００４】以上の課題を解決するために、ＬＥＤにフォトダイオードを取り付けて、フォトダイオーからの電流出力をマイコンで監視することにより、ＬＥＤに供給する電圧をマイコンで変化させて常に一定の照度を保つことを特徴とするＬＥＤ照明。
【発明の効果】
【０００５】本発明によればＬＥＤにフォトダイオードを取り付け、周囲温度変化によるＬＥＤの照度変化を監視して、常に設定した一定の照度を安定して出力することができる。
【発明を実施するための最良の形態】
【０００６】この発明の一実施形態を図１に示す。
ＬＥＤ１の上部にフォトダイオード２を設置されている。ＬＥＤ１とフォトダイオード２はそれぞれマイコン回路３に接続されている。【０００７】「実施形態の効果」
この実施形態によれば、ＬＥＤ照明筐体４に取り付けられているＬＥＤ１の上部にフォトダイオード２を設置し、ＬＥＤ１から照射された光をフォトダイオード２で受光することにより、この受光した光をフォトダイオードで電流に変化させてマイコン回路３にこの情報を送り、周囲温度による照度の変化量をマイコン回路３で補正することにより電源５の出力電圧を変化させることによりＬＥＤ１の照度を一定にすることが可能となる。【０００８】「他の実施形態」
図１の実施形態では、マイコン回路を使用しているが、アナログ回路でもよい。
【図面の簡単な説明】
【０００９】
【図１】この発明の一実施形態を示す斜視図である。
【符号の説明】
【００１０】１  ＬＥＤ                        ２  フォトダイオード
３  マイコン回路                  ４  ＬＥＤ照明筐体
５  電源
【図１】
2009021202.tif 000003
(57)【要約】【課題】  多面体制作キット及び照明器具用カバーを構成する型紙によって多面体構造を製作する為に平面基本形で構成するシステムにおいて、複数の型紙が各々の切れ込みを交差させることで組立て構成される場合、従来あった型紙の外れやすさ、組み立て難さを解決・改善した型紙によって、その安定した製作及び形態の保全を可能とすることで、組立易さの向上を目的としている。【解決手段】  多面体構造を製作する為に平面基本形で構成するシステムにおいて、複数の型紙が各切れ込みを交差させ接続する際、交差する方向とは９０度異なる方向での二次接続を行うはめ込み部分と、その直径寸法からはめ込み部分の狭小幅寸法までの寸法で切り取られているはめ込まれる溝状の穴とを付加することによって型紙同士の外れ難さを可能にし、従来あった型紙の外れやすさ、組み立て難さを解決する。【選択図】図２
2009021204.tif 000002
【特許請求の範囲】
【請求項１】
多面体構造を製作する為に平面基本形で構成するシステムにおいて、複数の型紙が各々の切れ込みを交差させることで組立て構成される場合、従来あった型紙の外れやすさ、組み立て難さを補正することが課題になったが、交差する方向とは９０度異なる方向での接続を行うはめ込み部分とそのはめ込まれる穴とを付加することで型紙同士の外れ難さを可能にし、解決したところにこの考案の特徴があり、型紙を使用したあらゆる多面体構造の制作においてその安定した製作及び形態の保全が得られる効能があるものである。
【発明の詳細な説明】
【技術分野】
【０００１】  本発明は、多面体製作キット及び照明器具用カバーを構成する型紙に関するものである。
【背景技術】
【０００２】  ３次元パズル及び照明器具用カバーを構成する型紙によって多面体構造を製作する為に平面基本形で構成するシステムにおいて、複数の型紙が各々の切れ込みを交差させることで組立て構成される場合、従来あった型紙（図１）の外れやすさ、組み立て難さを補正することで、多面体構造の製作・組立が格段に容易になり、型紙同士の外れ難さを可能にすることが考えられる。
【発明の開示】
【発明が解決しようとする課題】
【０００３】  多面体構造を製作する為に平面基本形で構成するシステムにおいて、複数の型紙が各々の切れ込みを交差させることで組立て構成される場合、従来あった型紙の持つ問題として外れやすさ、組み立て難さに伴う作業効率の悪さが問題である。【０００４】  本発明は上記のような従来あった型紙の外れやすさ、組み立て難さを、型紙を使用したあらゆる多面体構造の制作において、その安定した製作及び形態の保全が得られる効能を目的とする。
【課題を解決するための手段】
【０００５】  上記の目的を達成するための手段として、請求項１の発明は、複数の型紙が各切れ込みを交差させ継続する際、交差する方向とは９０度異なる方向での二次接続を行う円形のはめ込み部分と、その直径寸法もしくはそれよりわずかに小さな寸法のはめ込まれる溝状の穴とを付加することで型紙同士の外れ難さを可能にし、従来あった型紙の外れやすさ、組み立て難さを解決したところに特徴を有する。
【発明の効果】
【０００６】  〈請求項１の発明〉
多面体構造を製作する為に平面基本形で構成するシステムにおいて、複数の型紙が各々の切れ込みを交差させることで組立て構成される場合、従来あった型紙の外れやすさ、組み立て難さが、解決・改善された型紙を使用したあらゆる多面体構造の制作において、その安定した製作及び形態の保全が得られる効能があるものである。
【発明を実施するための最良の形態】
【実施形態１】
【００７】以下、従来の型紙及び本発明を具体化した実施形態を図１から図１２を参照して説明する。
【００８】  本実施形態の多面体製作キット及び照明器具用カバーを構成する多面体構造を構成する型紙は、基本形として正３・４・５・６・８などの正多角形を含有する形状が考えられ、そのどれもが有する切込み部分の形状が同サイズ、同スタイルであることによって、それら複数の各種型紙同士を自由に接続・解体できるものであることが本発明の特徴であり、使用型紙の数は製作目的によって決定され、理論上は無限の数で接続・構成できるのである。
【図面の簡単な説明】
【００９】
【図１】  従来の型紙（正３三角形タイプの場合）
【図２】  本発明の多面体制作キット及び照明器具用カバーの型紙（正３三角形タイプの場合）
【図３】  正４角形を有する型紙図
【図４】  正５角形を有する型紙図
【図５】  正６角形を有する型紙図
【図６】  正８角形を有する型紙図
【図７】  従来の型紙２枚の結合（正３角形タイプの場合）を説明する図
【図８】  発明の多面体制作キット及び照明器具用カバーの、型紙２枚の結合（正３角形タイプの場合）を説明する図
【図９】  型紙への光源の取り付け説明図
【図１０】  正多面体（２０面体の場合）の照明器具用カバー説明
【符号の説明】
【００１０】１０・・・従来の型紙（正３角形タイプ）
１１・・・従来の型紙のスリット孔
１２・・・本発明の多面体制作キット及び照明器具用カバーの型紙（正３角形タイプ）
１３・・・本発明の多面体制作キット及び照明器具用カバーの型紙のスリット孔
１４・・・本発明の多面体制作キット及び照明器具用カバーのはめ込み部分（結合用凸部）
１５・・・本発明の多面体制作キット及び照明器具用カバーのはめ込み部分の収まる穴
１６・・・電球型蛍光灯差し込み穴
１７・・・電球型蛍光灯差し込み穴用の切り込み
１８・・・本発明の多面体制作キット及び照明器具用カバーの型紙（正４角形タイプ）
１９・・・本発明の多面体制作キット及び照明器具用カバーの型紙（正５角形タイプ）
２０・・・本発明の多面体制作キット及び照明器具用カバーの型紙（正６角形タイプ）
２１・・・本発明の多面体制作キット及び照明器具用カバーの型紙（正８角形タイプ）
２２・・・電線コード
２３・・・ソケット
２４・・・電球型蛍光灯
２４Ａ・・・電球型蛍光灯の口金
【図１】
2009021204.tif 000003
【図２】
2009021204.tif 000004
【図３】
2009021204.tif 000005
【図４】
2009021204.tif 000006
【図５】
2009021204.tif 000007
【図６】
2009021204.tif 000008
【図７】
2009021204.tif 000009
【図８】
2009021204.tif 000010
【図９】
2009021204.tif 000011
【図１０】
2009021204.tif 000012
(57)【要約】【課題】導体を同心状に巻回した巻線と、巻線内を貫通する帯状の珪素鋼帯を積層した巻鉄心で構成される静止誘導器において、巻線に印加される電圧の静電誘導作用による巻鉄心の帯電を抑えることができる巻鉄心形静止誘導機を提供する。【解決手段】導体を同心状に巻回した巻線１と、巻線１内を貫通し帯状の珪素鋼帯を積層してなる巻鉄心２で構成される静止誘導器において、巻線１と巻線内を貫通している巻鉄心２との間で巻鉄心２と離れた位置に接地導体３を配置する。巻鉄心２の最外周から２層目以降の層を接地する。【選択図】図１
2009021281.tif 000002
【特許請求の範囲】
【請求項１】
導体を同心状に巻回した巻線と、前記巻線内を貫通し、帯状の珪素鋼帯を積層してなる巻鉄心とで構成される静止誘導器において、
前記巻線と巻線内を貫通している巻鉄心との間で、かつ、前記巻鉄心と離れた位置に接地導体を配置することを特徴とする静止誘導器。
【請求項２】
請求項１記載の静止誘導器において、
前記巻線の軸方向の寸法と前記接地導体の巻線軸方向の寸法が同程度であることを特徴とする静止誘導器。
【請求項３】
導体を同心状に巻回した巻線と、前記巻線内を貫通し、帯状の珪素鋼帯を積層してなる巻鉄心とで構成される静止誘導器において、
前記巻鉄心の最外周から２層目以降のいずれかの層を接地することを特徴とする静止誘導器。
【発明の詳細な説明】
【技術分野】
【０００１】
本発明は、変圧器等の静止誘導器に係わり、特に鉄心として珪素鋼帯を積層した巻鉄心を用いた静止誘導器に関する。
【背景技術】
【０００２】
巻鉄心は、表面が絶縁皮膜された珪素鋼帯を積層してなり、巻鉄心の最外周に鋼製バンド等を巻回し、前記鋼製バンドを接地することにより珪素鋼帯表面の絶縁皮膜を介して接地している。
従って最外周から、最内周までの全ての珪素鋼帯が完全に接地された状態ではなく、変圧器等の静止誘導器において、該巻鉄心の脚に挿入される巻線に印加される電圧による静電誘導作用で該巻鉄心の完全には接地されていない珪素鋼帯が帯電し、積層された珪素鋼帯間に電荷がたまることがある。通常使用時には帯電量が小さく問題はないが、巻線と鉄心が近い位置に配置された場合で、印加電圧が大きい耐圧試験時には、帯電量も大きく積層された珪素鋼帯間で放電現象が発生し放電音が発生することがあった。
【特許文献１】特開昭６１−２７６１３号公報
【特許文献２】実開昭５８−１３３９１２号公報
【発明の開示】
【発明が解決しようとする課題】
【０００３】
従来、特許文献１、２には、巻線と鉄心の間に接地導体や磁性体を配置することが提案されているが、特殊な配置であり、上記の問題解決にはならなかった。
【０００４】
本発明は、従来技術の問題点を解決するものであり、導体を同心状に巻回した巻線と、巻線内を貫通する帯状の珪素鋼帯を積層した巻鉄心で構成される静止誘導器において、巻線に印加される電圧の静電誘導作用による巻鉄心の帯電を抑えることができる巻鉄心形静止誘導機を提供することを目的とする。
【課題を解決するための手段】
【０００５】
本発明は、導体を同心状に巻回した巻線と、前記巻線内を貫通し、帯状の珪素鋼帯を積層してなる巻鉄心とで構成される静止誘導器において、前記巻線と巻線内を貫通している巻鉄心との間で、かつ、前記巻鉄心と離れた位置に接地導体を配置する静止誘導器である。
【０００６】
また、本発明は、前記巻線の軸方向の寸法と前記接地導体の巻線軸方向の寸法が同程度である静止誘導器である。
【０００７】
そして、本発明は、導体を同心状に巻回した巻線と、前記巻線内を貫通し、帯状の珪素鋼帯を積層してなる巻鉄心とで構成される静止誘導器において、前記巻鉄心の最外周から２層目以降のいずれかの層を接地する静止誘導器である。
【発明の効果】
【０００８】
本発明によれば、巻線に印加される電圧の静電誘導作用による巻鉄心の帯電を抑えることができる。
【発明を実施するための最良の形態】
【０００９】
本発明を実施するための最良の形態を説明する。
以下、本発明の静止誘導器の実施例について、図面を用いて説明する。
【実施例１】
【００１０】
実施例１を説明する。図１は本発明の静止誘導器の第一の実施例であり、導体を同心状に巻回した巻線１ａ、１ｂと、前記巻線１ａ、１ｂ内を貫通し、帯状の珪素鋼帯を積層した巻鉄心２で構成されている変圧器の主要部である。
【００１１】
巻線１ａの巻枠である絶縁物からなるボビン５の径方向外側に、巻線１の軸方向寸法と同程度の寸法で、接地リード４ａを接続した接地導体３を、閉回路を形成しないように接地導体３のラップ部に絶縁物６を挟み込み配置し、さらに径方向外側に、導体を同心状に巻回した巻線１ａを配置する。接地導体３に接続された接地リード４ａを上部に引き出して鋼製バンド７と対地電位が零になる鉄心上締金具９とともに鋼製バンド金具８で接続する。
【００１２】
ここで、前記巻線１の内周側には絶縁物１０を配置し、巻線１aと接地導体３は絶縁されているものとする。接地導体３は、巻鉄心２から離れて配置される。これにより、巻線１ａ、１ｂに印加される電圧の静電誘導作用による巻鉄心２の帯電を抑えることができる。
【実施例２】
【００１３】
実施例２を説明する。図２は本発明の変圧器の第二の実施例である。導体を同心状に巻回した巻線１ａ、１ｂと、巻線１ａ、１ｂ内を貫通する帯状の珪素鋼帯を積層した巻鉄心２で構成されている変圧器である。
【００１４】
巻鉄心２の最内周の珪素鋼帯と巻鉄心径方向外側の珪素鋼帯の間に接地リード４ｂの一端を挟み込み、上部に引き出して鋼製バンド７aと対地電位が零になる鉄心上締金具９とともに鋼製バンド金具８で接続する。接地リード４ｂは、巻鉄心２の最外周から２層目以降のいずれかの層を接地することとなる。これにより、巻線１ａ、１ｂに印加される電圧の静電誘導作用による巻鉄心２の帯電を抑えることができる。
【００１５】
ところで以上に説明した実施例１及び実施例２は、静止誘導器として変圧器を例に説明したが、リアクトル等の静止誘導器にも本発明が適用できることは言うまでもない。
【図面の簡単な説明】
【００１６】
【図１】実施例１の変圧器の主要部の説明図。
【図２】実施例２の変圧器の主要部の説明図。
【符号の説明】
【００１７】
１ａ、１ｂ・・巻線
２・・巻鉄心
３・・接地導体
４ａ、４ｂ・・接地リード
５・・ボビン
６・・絶縁物
７ａ、７ｂ・・鋼製バンド
8８・鋼製バンド金具
９・・鉄心上締金具
１０・・絶縁物
【図１】
2009021281.tif 000003
【図２】
2009021281.tif 000004
(57)【要約】【課題】  近年その使用が始まった折り畳み式携帯電話においては、着信をうけて電話器を開く作業と、通話ボタンを押す作業。二つの作業を行って電話をつないでいる。【解決手段】  着信を受けた電話器を開く。その動きを利用して一度の作業で電話をつなぐ。只開けばつながるものと知れば、閉じれば切れるものと理解して貰える。開けばつながる閉じれば切れる。一般電話と同じ使用感が心地よく、使いやすい。畳んだままで保留ボタンを使用できれば何の問題も生じない。【特許請求の範囲】
【請求項１】
着信をうけて開けば、只開いただけで電話がつながる、折り畳み式携帯電話。
【請求項２】
着信を受けてしまってから「電話には出られません」と断ってしまう保留ボタン。此の保留ボタンを、畳んだままでも使えるようにした折り畳み式携帯電話。
【発明の詳細な説明】
【技術分野】
【０００１】  本発明は、携帯電話に関するものであり、着信をうけて開けば、只開いただけで電話がつながるように工夫した、折り畳み式携帯電話である。
【背景技術】
【０００２】  従来から、一般電話においては着信をうけて受話器を取れば、只それだけで電話がつながる使いやすい機能である。
【発明の開示】
【発明が解決しようとする課題】
【０００３】  しかし近年、その使用が始まった折り畳み式携帯電話においては、着信をうけて携帯電話を開いても只開いただけでは電話はつながらない。更に通話ボタンを押して電話をつないでいる。一般電話と比較すれば分かるとおりに、二度の手間を掛けて電話をつないでいる。それ故に「急げいそげ」と着信音に急かされている気分になることもある。又通話ボタンを押せば当然通話切りボタンを押して電話を切る人が多い。これも余分な手間を作り出している。
【課題を解決するための手段】
【０００４】  折り畳み式携帯電話を開く。その動きを利用して電話をつなぐ。
【発明の効果】
【０００５】  電話器を開きながら耳に運び、着信音が止まれば電話はつながっている。一般電話と同じ使用感が心地よく、使いやすい。開けばつながる閉じれば切れる、簡単かつ自然な使用感である。
【発明を実地するための最良の形態】
【０００６】  携帯電話を開いている時にも着信は来る。通話ボタンを有効に使える時であるが、本発明の範囲内と限定すれば、いったん閉じ、開き直して電話をつなぐ。又着信が来ても、電話へ出られないときに押す保留ボタンは、畳んだ状態で使えるのが自然である。ポケットの中でボタンを押してポケットの中で着信音が消える。会議中でもとりあえず一安心である。
【産業上の利用可能性】
【０００７】  携帯電話は多目的電子機器へと進化して、折り畳み式携帯電話も各分野で多数活躍している。少しでも使いやすさが向上すれば、社会的に見て大きな利益となる。